(57)【要約】【課題】設置物本体を安定させて設置面に据え付けることができる基準姿勢設置用スペーサー及び設置物本体据付方法を得ること。【解決手段】基準姿勢設置用スペーサー１は、貯湯式給湯機の脚と設置面Ａとの間に配置される底部から、貯湯式給湯機側に向かって突出するガイド部１２を有するスペーサーガイド１０と、スペーサーガイド１０と貯湯式給湯機の脚との間に配置される板状部材であって、スペーサーガイド１０と重なった状態でスペーサーガイド１０に対して移動できるようにスペーサーガイド１０に組み付けられる調節用スペーサー２０とを備える。【選択図】図１２
2010266019.tif 000002
【特許請求の範囲】
【請求項１】
設置物本体の脚と設置面との間に配置される底部から、前記設置物本体側に向かって突出するガイド部を有するスペーサーガイドと、
前記スペーサーガイドと前記設置物本体の前記脚との間に配置される板状部材であって、前記スペーサーガイドと重なった状態で前記スペーサーガイドに対して移動できるように前記スペーサーガイドに組み付けられる調節用スペーサーと、
を備えることを特徴とする基準姿勢設置用スペーサー。
【請求項２】
前記スペーサーガイドは、互いの面が対向しあう２つの前記ガイド部を有し、
２つの前記ガイド部は、前記設置物本体の前記脚を両側から挟みこむように設けられることを特徴とする請求項１に記載の基準姿勢設置用スペーサー。
【請求項３】
前記スペーサーガイドは、前記設置面に前記設置物本体を据え付けるためのアンカーボルトと係合するアンカーボルト部切欠を有することを特徴とする請求項１または請求項２に記載の基準姿勢設置用スペーサー。
【請求項４】
前記設置物本体の前記脚と前記設置面との間の隙間を前記スペーサーガイド及び前記調節用スペーサーで埋めきれない場合に、少なくとも１つ以上用いられる板状部材であって、前記スペーサーガイドと前記設置物本体の前記脚との間に配置される高さ調節用スペーサーを含んで構成されることを特徴とする請求項１から請求項３のいずれか一項に記載の基準姿勢設置用スペーサー。
【請求項５】
前記ガイド部は、
前記調節用スペーサーに重ねられる前記高さ調節用スペーサーよりも、前記設置物本体側の端部が前記設置物本体側に配置されることを特徴とする請求項４に記載の基準姿勢設置用スペーサー。
【請求項６】
設置物本体に向かって底部から突出するガイド部を有するスペーサーガイドと、
前記スペーサーガイドと重なった状態で前記スペーサーガイドに対して移動できるように前記スペーサーガイドに組み付けられる板状部材の調節用スペーサーと、
板状の高さ調節用スペーサーと、
を含んで構成される基準姿勢設置用スペーサーを用いて前記設置物本体を設置面に据え付ける方法であって、
前記設置物本体の脚と前記設置面との間に前記スペーサーガイドを配置するステップと、
前記設置物本体の姿勢を基準姿勢とするために必要な枚数の前記高さ調節用スペーサーを、前記スペーサーガイドと前記設置物本体の前記脚との間に配置するステップと、
前記調節用スペーサーを前記スペーサーガイドに対して移動させるステップと、
を含むことを特徴とする設置物本体据付方法。
【発明の詳細な説明】
【技術分野】
【０００１】
本発明は、基準姿勢設置用スペーサー及び設置物本体据付方法に関する。
【背景技術】
【０００２】
貯湯式給湯機のような設置物本体は、水平な設置面に設置されることが好ましい。しかしながら、貯湯式給湯機の想定される設置場所は、家屋の犬走りやマンションのベランダ、パイプスペースなどである。これらの場所は、排水性能を確保するため、一般的に１／１００や２／１００の勾配が故意につけられていることが多い。貯湯式給湯機の設置面のみ水平に基礎を設ける場合もあるが、設置場所の設置面が極端な傾斜面でもない限り、貯湯式給湯機の設置面のみ水平に基礎を設けることは稀である。
【０００３】
そこで、貯湯式給湯機のような設置物本体は、設置面に据え付けられる際にスペーサーを介して設置されることがある。例えば、特許文献１から特許文献３の各文献には、設置物本体が基準姿勢となるように傾斜角度が調節されたスペーサーが設置用ブロックにあらかじめ固定され、前記スペーサーに設置物本体が載せられる構造が開示されている。なお、基準姿勢とは、設置物本体が使用される際に推奨される姿勢であって、例えば設置物本体が鉛直方向に沿って直立し、設置物本体の底面や天井面が水平となる設置物本体の姿勢である。
【先行技術文献】
【特許文献】
【０００４】
【特許文献１】特開平９−４８７８号公報（第７頁及び図８）
【特許文献２】特開平９−４８７７号公報（第６頁及び図８）
【特許文献３】実開平６−２８５２４号公報（第３頁及び図４及び図６）
【発明の概要】
【発明が解決しようとする課題】
【０００５】
ここで、特許文献１から特許文献３の各文献に開示されているスペーサーは、樹脂製であるため、スペーサーに必要な剛性を確保するためにはスペーサーの高さが増大するおそれがある。これは、スペーサーが樹脂製の場合、成型部品そのものの内部構造により強度を担保する必要があるためである。ひずみ、そり、クラックや内部残留応力を低減するためには、補強リブを設けたり、肉厚を均一化したりする必要がある。これらの構造を設けるためには、特許文献１から特許文献３の各文献に開示されているスペーサーのように、高さが増大するおそれがある。また、特許文献１から特許文献３の各文献に開示されているスペーサーは、レベル調節部材の傾斜が一定である。よって、従来の技術では、スペーサーの小型化が図れなかったり、傾斜が一定な設置面にしか使用できなかったりした。
【０００６】
そこで、貯湯式給湯機を設置面に据え付けるためのアンカーボルトにナットをねじ込んで、前記ナットをスペーサーとして用いる場合もある。しかしながら、この場合、貯湯式給湯機の脚が設置面に接触する面積に対し、ナットの受圧面積が極めて小さくなる。よって、貯湯式給湯機が満水の際に、貯湯式給湯機の設置面への固定が不安定となるおそれが考えられる。
【０００７】
また、貯湯式給湯機と設置面との間に平板板金をスペーサーとして介在させる場合もある。この場合、例えば地震が発生すると、貯湯式給湯機が振動して、重ねたスペーサーが相互にずれるおそれも考えられる。また、貯湯式給湯機を設置する現場では、設置面の傾斜角度を詳細に測定することは難しい場合が多い。よって、貯湯式給湯機に複数設けられる脚の角度を、一脚ごとに微調節する作業には手間を要する。
【０００８】
本発明は、上記に鑑みてなされたものであって、設置物本体を安定させて設置面に据え付けることができる基準姿勢設置用スペーサー及び設置物本体据付方法を得ることを目的とする。
【課題を解決するための手段】
【０００９】
上述した課題を解決し、目的を達成するために、本発明に係る基準姿勢設置用スペーサーは、設置物本体の脚と設置面との間に配置される底部から、前記設置物本体側に向かって突出するガイド部を有するスペーサーガイドと、前記スペーサーガイドと前記設置物本体の前記脚との間に配置される板状部材であって、前記スペーサーガイドと重なった状態で前記スペーサーガイドに対して移動できるように前記スペーサーガイドに組み付けられる調節用スペーサーと、を備えることを特徴とする。
【発明の効果】
【００１０】
本発明によれば、設置物本体を安定させて設置面に据え付けることができるという効果を奏する。
【図面の簡単な説明】
【００１１】
【図１】図１は、本実施の形態の基準姿勢設置用スペーサーを示す斜視図である。
【図２】図２は、本実施の形態のスペーサーガイドを示す斜視図である。
【図３】図３は、本実施の形態の調節用スペーサーを示す斜視図である。
【図４】図４は、本実施の形態の高さ調節用スペーサーを示す斜視図である。
【図５】図５は、本実施の形態の基準姿勢設置用スペーサーを用いて貯湯式給湯機を傾斜部に設置した状態を示す斜視図である。
【図６】図６は、本実施の形態の基準姿勢設置用スペーサーを用いて貯湯式給湯機を傾斜部に設置した状態の側面図である。
【図７】図７は、本実施の形態の基準姿勢設置用スペーサーが貯湯式給湯機後脚と設置面との間に取り付けられる様子を示す斜視図である。
【図８】図８は、貯湯式給湯機後脚と設置面との間に本実施の形態の基準姿勢設置用スペーサーを挿入した状態を、前面側から背面側に向かって切って示す断面図である。
【図９】図９は、本実施の形態の基準姿勢設置用スペーサーが貯湯式給湯機前脚と設置面との間に取り付けられる様子を示す斜視図である。
【図１０】図１０は、本実施の形態の高さ調節用スペーサーが貯湯式給湯機前脚と設置面との間に取り付けられる様子を示す斜視図である。
【図１１】図１１は、本実施の形態の調節用スペーサーの位置が調節される様子を示す斜視図である。
【図１２】図１２は、貯湯式給湯機前脚と設置面との間に本実施の形態の基準姿勢設置用スペーサーを挿入した状態を、前面側から背面側に向かって切って示す断面図である。
【図１３】図１３は、本実施の形態の基準姿勢設置用スペーサーを用いて貯湯式給湯機を別の設置面に設置した状態の側面図である。
【図１４】図１４は、貯湯式給湯機後脚と別の設置面との間に本実施の形態の基準姿勢設置用スペーサーを挿入した状態を、側面側に向かって切って示す断面図である。
【発明を実施するための形態】
【００１２】
以下に、本発明にかかる基準姿勢設置用スペーサー及び設置物本体据付方法の実施の形態を図面に基づいて詳細に説明する。なお、この実施の形態によりこの発明が限定されるものではない。
【００１３】
実施の形態
図１は、本実施の形態の基準姿勢設置用スペーサーを示す斜視図である。図１に示す基準姿勢設置用スペーサー１は、スペーサーガイド１０と、調節用スペーサー２０とを含んで構成される。基準姿勢設置用スペーサー１は、スペーサーガイド１０と調節用スペーサー２０とが組み合わされて構成される。まずは、スペーサーガイド１０の構成について説明する。
【００１４】
図２は、本実施の形態のスペーサーガイドを示す斜視図である。図２に示すスペーサーガイド１０は、板状部材によって形成される。スペーサーガイド１０は、例えば、板厚が均一の金属部材で形成される。スペーサーガイド１０は、底部１１と、ガイド部１２と、調節用スペーサー組込孔１３と、後脚アンカーボルト部切欠１４と、前脚アンカーボルト部切欠１５とを含んで構成される。
【００１５】
スペーサーガイド１０は、２つのガイド部１２がそれぞれ底部１１に対して交差して設けられる。２つのガイド部１２は、底部１１の２つの面のうち、同じ面側に設けられる。より具体的には、スペーサーガイド１０は、ガイド部１２が底部１１に対して直交すると共に、２つのガイド部１２の面が互いに平行に対向して設けられる。本実施の形態では、スペーサーガイド１０は、一枚の板状部材が、略コの字型（略Ｃ型）に折り曲げられることにより、底部１１からガイド部１２が後述する貯湯式給湯機４０の脚に向かって突出して形成される。
【００１６】
調節用スペーサー組込孔１３は、ガイド部１２に形成される。調節用スペーサー組込孔１３は、ガイド部１２を厚み方向に貫通する孔である。調節用スペーサー組込孔１３は、例えば、ガイド部１２の部分のうち、底部１１との付け根に形成される。ガイド部１２は、底部１１とガイド部１２との付け根に沿って形成される角型の長孔である。調節用スペーサー組込孔１３は、図１に示すように、後述する調節用スペーサー２０の位置調節ツマミ２１が嵌め込まれ、位置調節ツマミ２１が移動する部分となる。
【００１７】
後脚アンカーボルト部切欠１４及び前脚アンカーボルト部切欠１５は、底部１１に形成される。後脚アンカーボルト部切欠１４及び前脚アンカーボルト部切欠１５は、底部１１を厚み方向に貫通する略Ｕ字型の切欠部である。スペーサーガイド１０は、底部１１の４辺のうち、ガイド部１２が形成されていない一方の辺側に後脚アンカーボルト部切欠１４が形成され、他方の辺に前脚アンカーボルト部切欠１５が形成される。
【００１８】
ここで、底部１１の部分のうち後脚アンカーボルト部切欠１４が形成される側を背面側、前脚アンカーボルト部切欠１５が形成される側を前面側という。後脚アンカーボルト部切欠１４は、スペーサーガイド１０の辺のうち背面側の辺に開口し、前脚アンカーボルト部切欠１５側に向かって切れ込む形状に形成される。前脚アンカーボルト部切欠１５は、スペーサーガイド１０の辺のうち前面側の辺に開口し、後脚アンカーボルト部切欠１４側に向かって切れ込む形状に形成される。
【００１９】
図３は、本実施の形態の調節用スペーサーを示す斜視図である。図３に示す調節用スペーサー２０は、板状部材によって形成される。調節用スペーサー２０は、例えば、板厚が均一の金属部材で形成される。調節用スペーサー２０は、矩形形状の板部材に、位置調節ツマミ２１と、アンカーボルト部切欠２２とが形成される。ここで、位置調節ツマミ２１及びアンカーボルト部切欠２２が形成される前の調節用スペーサー２０の４辺のうち、互いに対向する２辺の一方側を前面側といい、他方側を背面側という。
【００２０】
位置調節ツマミ２１は、調節用スペーサー２０の部分のうち、例えば、背面側に形成される。位置調節ツマミ２１は、図１に示すように、調節用スペーサー２０がスペーサーガイド１０に重ねられるように組み付けられると、調節用スペーサー組込孔１３から突出するように形成される。具体的には、位置調節ツマミ２１は、位置調節ツマミ２１及びアンカーボルト部切欠２２が形成される前の調節用スペーサー２０の４辺のうち、前面側の辺及び背面側の辺以外の２辺に、それぞれ１つずつ合計２個形成される。位置調節ツマミ２１は、当該２辺からそれぞれ離れる方向に突出して形成される。
【００２１】
アンカーボルト部切欠２２は、調節用スペーサー２０を構成する板状部材を厚み方向に貫通する略Ｕ字型の切欠部である。アンカーボルト部切欠２２は、アンカーボルト部切欠２２が形成される前の板状部材の辺のうち前面側の辺に開口し、背面側に向かって切れ込む形状に形成される。
【００２２】
図４は、本実施の形態の高さ調節用スペーサーを示す斜視図である。基準姿勢設置用スペーサー１は、スペーサーガイド１０及び調節用スペーサー２０以外に、図４に示す高さ調節用スペーサー３０を含んで構成される。高さ調節用スペーサー３０は、板状部材によって形成される。高さ調節用スペーサー３０は、例えば、板厚が均一の金属部材で形成される。なお、高さ調節用スペーサー３０は、補助的に使用されるものであり、使用されなくてもよい。
【００２３】
高さ調節用スペーサー３０は、矩形形状の板部材に、アンカーボルト部切欠３１が形成される。ここで、アンカーボルト部切欠３１が形成される前の高さ調節用スペーサー３０の４辺のうち、互いに対向する２辺の一方側を前面側といい、他方側を背面側という。アンカーボルト部切欠３１は、高さ調節用スペーサー３０を構成する板状部材を厚み方向に貫通する略Ｕ字型の切欠部である。アンカーボルト部切欠３１は、アンカーボルト部切欠３１が形成される前の板状部材の辺のうち前面側の辺に開口し、背面側に向かって切れ込む形状に形成される。
【００２４】
図５は、本実施の形態の基準姿勢設置用スペーサーを用いて貯湯式給湯機を傾斜部に設置した状態を示す斜視図である。図６は、本実施の形態の基準姿勢設置用スペーサーを用いて貯湯式給湯機を傾斜部に設置した状態の側面図である。以下、設置物本体の一例として貯湯式給湯機４０を設置面Ａに据え付ける場合を説明する。図５及び図６では、貯湯式給湯機４０の設置例として、貯湯式給湯機設置面である設置面Ａが、貯湯式給湯機４０の貯湯式給湯機後脚４１から貯湯式給湯機前脚４２に向かって２／１００の勾配が設けられている場合を示す。つまり、図５及び図６では、貯湯式給湯機４０の前面４０Ａが設置面Ａの谷側に配置され、貯湯式給湯機４０の背面４０Ｂが設置面Ａの山側に配置される。
【００２５】
図５に示すように、貯湯式給湯機４０は、例えば、２つの貯湯式給湯機後脚４１と、１つの貯湯式給湯機前脚４２とを含んで構成される。貯湯式給湯機後脚４１は、貯湯式給湯機４０の底面のうちの背面４０Ｂ側に設けられる。貯湯式給湯機前脚４２は、貯湯式給湯機４０の底面のうちの前面４０Ａ側に設けられる。貯湯式給湯機４０は、貯湯式給湯機後脚４１及び貯湯式給湯機前脚４２が設置面Ａに固定されることにより、設置面Ａに据え付けられる。
【００２６】
以下に、本実施の形態の基準姿勢設置用スペーサー１を用いて、貯湯式給湯機４０を設置面Ａに設置する手順を説明する。ここで、傾斜した設置面Ａの所定の位置には、あらかじめ埋め込み式アンカーボルト５０が設けられている。まず、作業員は、埋め込み式アンカーボルト５０の位置に合わせて、貯湯式給湯機４０を仮り置きする。なお、仮り置きとは、埋め込み式アンカーボルト５０にアンカーボルト固定用ナットを締め込まずに、貯湯式給湯機後脚４１及び貯湯式給湯機前脚４２と、設置面Ａとの間に隙間を生じさせることができるように貯湯式給湯機４０を設置面Ａに据え付けることをいう。
【００２７】
この時、仮り置きされた貯湯式給湯機４０は、設置面Ａの傾斜によって、前面４０Ａが設置面Ａ側に向かって傾いた状態となる。次に、作業員は、貯湯式給湯機４０に水平測定器を取り付ける。水平測定器は、貯湯式給湯機４０の姿勢が基準姿勢となっているか否かを判定するための装置である。
【００２８】
図７は、本実施の形態の基準姿勢設置用スペーサーが貯湯式給湯機後脚と設置面との間に取り付けられる様子を示す斜視図である。次に、作業員は、水平測定器の数値が水平に近づき、貯湯式給湯機４０の姿勢が基準姿勢となるように、貯湯式給湯機４０の貯湯式給湯機後脚４１と、設置面Ａとの間に、例えば貯湯式給湯機４０の前面４０Ａ側から背面４０Ｂ側に向かって基準姿勢設置用スペーサー１を挿入する。
【００２９】
基準姿勢設置用スペーサー１は、前面４０Ａから背面４０Ｂに向かって、図１に示すスペーサーガイド１０の後脚アンカーボルト部切欠１４側から、貯湯式給湯機後脚４１と設置面Ａとの間に挿入される。これにより、基準姿勢設置用スペーサー１は、底部１１が貯湯式給湯機後脚４１と設置面Ａとの間に介在される。この時、基準姿勢設置用スペーサー１は、後脚アンカーボルト部切欠１４に埋め込み式アンカーボルト５０が係合するまで、スペーサーガイド１０が貯湯式給湯機後脚４１と設置面Ａとの間に挿入される。なお、隙間がスペーサーガイドの板厚以下の場合は、入るところまでとなる。
【００３０】
次に、作業員は、設置面Ａの傾斜に基づいて調節用スペーサー２０の位置調節ツマミ２１を操作する。具体的には、作業員は、設置面Ａの傾斜が小さいほど、図１に示す位置調節ツマミ２１を前面４０Ａ側に移動させた状態で基準姿勢設置用スペーサー１を貯湯式給湯機後脚４１と設置面Ａとの間に挿入する。また、作業員は、設置面Ａの傾斜が大きいほど、位置調節ツマミ２１を背面４０Ｂ側に移動させた状態で基準姿勢設置用スペーサー１を貯湯式給湯機後脚４１と設置面Ａとの間に挿入する。なお、基準姿勢設置用スペーサー１は、貯湯式給湯機後脚４１と設置面Ａとの間に挿入された状態で、作業員によって位置調節ツマミ２１が操作されてもよい。
【００３１】
図８は、貯湯式給湯機後脚と設置面との間に本実施の形態の基準姿勢設置用スペーサーを挿入した状態を、前面側から背面側に向かって切って示す断面図である。ここで、貯湯式給湯機後脚４１と設置面Ａとの間に生じる隙間は、貯湯式給湯機前脚４２と設置面Ａとの間に生じる隙間よりも小さいため、図４に示す高さ調節用スペーサー３０は使用されない。また、図８では、調節用スペーサー２０が前面４０Ａ側に引き出された状態で、貯湯式給湯機後脚４１の底面と設置面Ａとの隙間に基準姿勢設置用スペーサー１が設けられる例を示す。つまり、図８に示す基準姿勢設置用スペーサー１は、貯湯式給湯機後脚４１の底面と設置面Ａとの隙間にスペーサーガイド１０のみが介在される。
【００３２】
このようにして、基準姿勢設置用スペーサー１は、図８に示すように、貯湯式給湯機後脚４１と設置面Ａとの間に生じた隙間をスペーサーガイド１０が埋める。さらに、基準姿勢設置用スペーサー１は、設置面Ａの傾斜角度に基づいて作業員が調節用スペーサー２０の位置調節ツマミ２１を操作することにより、スペーサーガイド１０で埋められなかった貯湯式給湯機後脚４１と設置面Ａとの隙間を、調節用スペーサー２０で埋めることができる。
【００３３】
図９は、本実施の形態の基準姿勢設置用スペーサーが貯湯式給湯機前脚と設置面との間に取り付けられる様子を示す斜視図である。次に、作業員は、図９に示すように、貯湯式給湯機前脚４２と設置面Ａとの間に基準姿勢設置用スペーサー１を挿入する。この時、基準姿勢設置用スペーサー１は、調節用スペーサー２０が前面側に移動された状態で、背面側から前面側に向かって貯湯式給湯機前脚４２と設置面Ａとの間に挿入される。
【００３４】
基準姿勢設置用スペーサー１は、調節用スペーサー２０の前面側から貯湯式給湯機前脚４２と設置面Ａとの間に挿入される。この時、基準姿勢設置用スペーサー１は、アンカーボルト部切欠２２及び前脚アンカーボルト部切欠１５に埋め込み式アンカーボルト５０が係合するまで調節用スペーサー２０が貯湯式給湯機前脚４２と設置面Ａとの間に挿入される。これにより、基準姿勢設置用スペーサー１は、スペーサーガイド１０及び調節用スペーサー２０の一部が貯湯式給湯機前脚４２と設置面Ａとの間に介在される。
【００３５】
図１０は、本実施の形態の高さ調節用スペーサーが貯湯式給湯機前脚と設置面との間に取り付けられる様子を示す斜視図である。作業員は、基準姿勢設置用スペーサー１の位置を確定すると、図１０に示すように、調節用スペーサー２０と貯湯式給湯機前脚４２の底面との隙間に、高さ調節用スペーサー３０を必要な枚数挿入する。この時、高さ調節用スペーサー３０は、アンカーボルト部切欠３１に埋め込み式アンカーボルト５０が係合するまで、貯湯式給湯機前脚４２の背面側から前面側へ向かって挿入される。
【００３６】
ここで、上述の「必要な枚数」とは、貯湯式給湯機４０に取り付けられる水平測定器が水平に近づき、貯湯式給湯機４０の姿勢が基準姿勢になるために必要な枚数である。設置面Ａは、背面側から前面側に向かって下るように傾斜する。よって、貯湯式給湯機前脚４２と設置面Ａとの間の隙間の大きさは、貯湯式給湯機後脚４１と設置面Ａとの間の隙間の大きさよりも大きい。基準姿勢設置用スペーサー１は、高さ調節用スペーサー３０が貯湯式給湯機前脚４２と設置面Ａとの間の隙間に挿入されることにより、貯湯式給湯機前脚４２と設置面Ａとの間の隙間を埋めることができる。
【００３７】
図１１は、本実施の形態の調節用スペーサーの位置が調節される様子を示す斜視図である。次に、作業員は、図１１に示すように、前面側に引き出しておいた調節用スペーサー２０の位置調節ツマミ２１を操作して、貯湯式給湯機４０に取り付けられる水平測定器の数値が水平に近づき、貯湯式給湯機４０の姿勢が基準姿勢になるまで調節用スペーサー２０を背面４０Ｂ側に移動させる。
【００３８】
図１２は、貯湯式給湯機後脚と設置面との間に本実施の形態の基準姿勢設置用スペーサーを挿入した状態を、前面側から背面側に向かって切って示す断面図である。本実施の形態の場合、高さ調節用スペーサー３０は、貯湯式給湯機前脚４２と設置面Ａとの隙間に３枚介在させられる。また、図１２では、調節用スペーサー２０は、貯湯式給湯機４０が基準姿勢となるように、最も背面４０Ｂ側まで移動させられている状態を示す。
【００３９】
貯湯式給湯機後脚４１と設置面Ａとの間に介在される基準姿勢設置用スペーサー１によって貯湯式給湯機後脚４１の水平が保たれ、貯湯式給湯機前脚４２と設置面Ａとの間に介在される基準姿勢設置用スペーサー１によって貯湯式給湯機前脚４２の水平が保たれると、作業員は、調節用スペーサー２０の位置を決定し、アンカーボルト固定用ナット５１を埋め込み式アンカーボルト５０にねじ込む。これにより、作業員は、貯湯式給湯機後脚４１の２箇所と、貯湯式給湯機前脚４２の一箇所、合計３箇所をアンカーボルト固定用ナット５１で締結する。以上の手順により、貯湯式給湯機４０の据え付け作業を完了とする。これにより、基準姿勢設置用スペーサー１は、貯湯式給湯機４０をより基準姿勢に近い姿勢で設置面Ａに支持できる。
【００４０】
以上のように、本実施の形態の基準姿勢設置用スペーサー１は、スペーサーガイド１０の後脚アンカーボルト部切欠１４が、埋め込み式アンカーボルト５０に係合した状態で、貯湯式給湯機後脚４１と設置面Ａとの間に介在される。また、基準姿勢設置用スペーサー１は、スペーサーガイド１０の前脚アンカーボルト部切欠１５と、調節用スペーサー２０のアンカーボルト部切欠２２と、高さ調節用スペーサー３０のアンカーボルト部切欠３１とが、埋め込み式アンカーボルト５０に係合した状態で、貯湯式給湯機前脚４２と設置面Ａとの間に介在される。これにより、基準姿勢設置用スペーサー１は、貯湯式給湯機４０が例えば地震で振動しても、貯湯式給湯機後脚４１または貯湯式給湯機前脚４２と設置面Ａとの間から外れにくい。
【００４１】
また、基準姿勢設置用スペーサー１は、図１１に示すように、スペーサーガイド１０のガイド部１２が貯湯式給湯機後脚４１または貯湯式給湯機前脚４２を両側から挟む構造である。これにより、基準姿勢設置用スペーサー１は、貯湯式給湯機４０の貯湯式給湯機後脚４１または貯湯式給湯機前脚４２の移動をガイド部１２によって規制できる。
【００４２】
また、図８及び図１２に示すように、スペーサーガイド１０は、ガイド部１２の部分のうち、貯湯式給湯機４０側の端部１２ａが、図８に示す調節用スペーサー２０や、図１２に示す高さ調節用スペーサー３０よりも貯湯式給湯機４０側に位置する。これにより、基準姿勢設置用スペーサー１は、調節用スペーサー２０及び高さ調節用スペーサー３０の移動をガイド部１２によって規制できる。よって、例えば地震が発生した場合であっても、基準姿勢設置用スペーサー１は、貯湯式給湯機後脚４１または貯湯式給湯機前脚４２と設置面Ａとの間から外れにくくなる。
【００４３】
さらに、基準姿勢設置用スペーサー１は、貯湯式給湯機後脚４１または貯湯式給湯機前脚４２と設置面Ａとの間に介在される部材、すなわちスペーサーガイド１０と、調節用スペーサー２０と、高さ調節用スペーサー３０とが平板で構成される。これにより、基準姿勢設置用スペーサー１は、面を積層することで貯湯式給湯機後脚４１または貯湯式給湯機前脚４２と設置面Ａとの隙間を埋めることとなる。
【００４４】
よって、基準姿勢設置用スペーサー１は、貯湯式給湯機後脚４１または貯湯式給湯機前脚４２と接する面積、及び、設置面Ａと接する面積を、スペーサーとしてナットを介在させる場合よりも大きく確保できる。これにより、基準姿勢設置用スペーサー１は、貯湯式給湯機後脚４１または貯湯式給湯機前脚４２との摩擦力、及び、設置面Ａとの摩擦力をより大きく確保できる。これにより、基準姿勢設置用スペーサー１は、貯湯式給湯機後脚４１または貯湯式給湯機前脚４２と設置面Ａとの間からさらに外れにくくなる。以上により、基準姿勢設置用スペーサー１は、より安定して貯湯式給湯機４０を基準姿勢に近い姿勢で設置面Ａに支持できる。
【００４５】
ここで、本実施の形態では、スペーサーガイド１０がガイド部１２を２つ有するものとして説明したが、スペーサーガイド１０はガイド部１２を１つ有してもよい。この場合、スペーサーガイド１０は、略Ｌ字型に形成される。この場合であっても、基準姿勢設置用スペーサー１は、調節用スペーサー２０と、高さ調節用スペーサー３０と、貯湯式給湯機後脚４１または貯湯式給湯機前脚４２とが、ガイド部１２に近づく方向に移動しようとした際に、調節用スペーサー２０と、高さ調節用スペーサー３０と、貯湯式給湯機後脚４１または貯湯式給湯機前脚４２との部材の移動を規制できる。
【００４６】
但し、スペーサーガイド１０がガイド部１２を２つ有し、２つのガイド部１２が調節用スペーサー２０と、高さ調節用スペーサー３０と、貯湯式給湯機後脚４１または貯湯式給湯機前脚４２とを挟み込むように設けられる方が、基準姿勢設置用スペーサー１は、調節用スペーサー２０と、高さ調節用スペーサー３０と、貯湯式給湯機後脚４１または貯湯式給湯機前脚４２との部材の移動を２方向で規制できるため好ましい。
【００４７】
図１３は、本実施の形態の基準姿勢設置用スペーサーを用いて貯湯式給湯機を別の設置面に設置した状態の側面図である。図１４は、貯湯式給湯機後脚と別の設置面との間に本実施の形態の基準姿勢設置用スペーサーを挿入した状態を、側面側に向かって切って示す断面図である。ここで、貯湯式給湯機４０は、前面４０Ａが設置面の谷側に向かって配置されるとは限らない。例えば、貯湯式給湯機４０は、図１３に示すように、貯湯式給湯機４０の側面が傾斜する設置面Ｂの谷側に向かって配置されることもある。
【００４８】
ここで、貯湯式給湯機４０の２つの側面、すなわち前面４０Ａと背面４０Ｂと天井面と底面とを除く残りの２面のうち、一方を第１側面４０Ｃとし、他方を第２側面４０Ｄとする。第１側面４０Ｃは、設置面Ｂの谷側に配置され、第２側面４０Ｄは、設置面Ｂの山側に配置される。これにより、脚と設置面Ｂとの間の隙間の大きさは、第２側面４０Ｄ側に配置される貯湯式給湯機後脚４１、貯湯式給湯機前脚４２、第１側面４０Ｃ側に配置される貯湯式給湯機後脚４１の順に大きくなる。
【００４９】
そこで、基準姿勢設置用スペーサー１は、図１４に示すように、最も谷側に配置される第１側面４０Ｃ側の貯湯式給湯機後脚４１と設置面Ｂとの間に、高さ調節用スペーサー３０を例えば２枚用いられて介在される。この時、基準姿勢設置用スペーサー１は、最も山側に配置される第２側面４０Ｄ側の貯湯式給湯機後脚４１と設置面Ｂとの間には、例えば高さ調節用スペーサー３０が用いられずに介在される。また、基準姿勢設置用スペーサー１は、貯湯式給湯機前脚４２と設置面Ｂとの間には、必要であれば高さ調節用スペーサー３０が１枚用いられて介在される。これにより、基準姿勢設置用スペーサー１は、貯湯式給湯機４０の各脚と設置面Ｂとの間に生じた隙間を埋めることができる。
【００５０】
このように、第１側面４０Ｃが設置面Ｂの谷側に向いて貯湯式給湯機４０が設置される場合であっても、基準姿勢設置用スペーサー１を、より安定して貯湯式給湯機４０を基準姿勢に近い姿勢で設置面Ｂに支持できる。なお、この場合、基準姿勢設置用スペーサー１は、調節用スペーサー２０が設置面Ｂの谷側から山側に向かって移動できない。しかしながら、一般的な貯湯式給湯機４０では、各脚間の間隔は、前面と背面とを結ぶ方向の間隔よりも、第１側面４０Ｃと第２側面４０Ｄとを結ぶ方向の間隔の方が小さい。
【００５１】
よって、一般的な貯湯式給湯機４０では、前面が設置面の谷側に向く場合よりも、第１側面４０Ｃが設置面Ｂの谷側に向く場合の方が、貯湯式給湯機後脚４１または貯湯式給湯機前脚４２と設置面Ｂとの間に生じる隙間の大きさが小さくなる。これにより、一般的な貯湯式給湯機４０の場合、調節用スペーサー２０による微調整ができなくても、基準姿勢設置用スペーサー１は、安定して貯湯式給湯機４０を設置面Ｂに支持できる。
【００５２】
以上のように、本実施の形態の基準姿勢設置用スペーサー１は、貯湯式給湯機４０の複数の脚ごとに、角度及び高さを調節できる。これにより、基準姿勢設置用スペーサー１は、設置面の傾斜の方向を選ばずに、貯湯式給湯機４０の脚と設置面との間に介在されることで、貯湯式給湯機４０を基準姿勢に近づけ、貯湯式給湯機４０を安定して支持できる。
【産業上の利用可能性】
【００５３】
本発明に係る基準姿勢設置用スペーサー及び設置物本体据付方法は、設置物本体を傾斜した設置面に据え付ける技術に有用であり、特に、設置物本体を安定させて設置面に据え付けることに適している。
【符号の説明】
【００５４】
１  基準姿勢設置用スペーサー
１０  スペーサーガイド
１１  底部
１２  ガイド部
１２ａ  端部
１３  調節用スペーサー組込孔
１４  後脚アンカーボルト部切欠
１５  前脚アンカーボルト部切欠
２０  調節用スペーサー
２１  位置調節ツマミ
２２  アンカーボルト部切欠
３０  高さ調節用スペーサー
３１  アンカーボルト部切欠
４０  貯湯式給湯機
４０Ａ  前面
４０Ｂ  背面
４０Ｃ  第１側面
４０Ｄ  第２側面
４１  貯湯式給湯機後脚
４２  貯湯式給湯機前脚
５０  埋め込み式アンカーボルト
５１  アンカーボルト固定用ナット
Ａ、Ｂ  設置面
【図１】
2010266019.tif 000003
【図２】
2010266019.tif 000004
【図３】
2010266019.tif 000005
【図４】
2010266019.tif 000006
【図５】
2010266019.tif 000007
【図６】
2010266019.tif 000008
【図７】
2010266019.tif 000009
【図８】
2010266019.tif 000010
【図９】
2010266019.tif 000011
【図１０】
2010266019.tif 000012
【図１１】
2010266019.tif 000013
【図１２】
2010266019.tif 000014
【図１３】
2010266019.tif 000015
【図１４】
2010266019.tif 000016